(57)【特許請求の範囲】
【請求項１】
水中の獲物を入口から取り込んで捕獲し出口から解放する捕獲具であって、前記入口に  入った獲物が逃げ出すことができないように逆行防止機構と、
前記出口に自動復帰機構を有する開閉板と、
前記捕獲具を搬送する搬送装置とを設け、搬送中に開閉板を自動的に開放する機構を備えることにより獲物を自動的に解放できることを特徴とする捕獲具。
【請求項２】
前記逆行防止機構は、放射状に配置された入口部材と、該入口部材の根元に設けられた弾性部材と、該入口部材を固定するストッパーとを有することを特徴とする請求項１に記載の捕獲具。
【請求項３】
前記捕獲具の吊り下げ具を、該捕獲具の上部の中心からずらした位置に設けることを特徴とする請求項１または請求項２に記載の捕獲具。
【請求項４】
前記捕獲具の上部に、餌自動供給機を設けることを特徴とする請求項１乃至請求項３のいずれか１つの請求項に記載の捕獲具。
【請求項５】
前記搬送装置は、捕獲具を搬送する幹糸を把持する円形把持板および羽根形把持板と、該籠を吊り下げる枝糸と前記幹糸とを分離して該枝糸を前記羽根形把持板の羽根に引っ掛ける案内アームとを備えた把持搬送機であることを特徴とする請求項１乃至請求項４のいずれか１つの請求項に記載の捕獲具。
【請求項６】
前記捕獲具が水中で拡張した状態になるように上部に配置された浮きと、該捕獲具が水底に沈むように下部に配置された錘と、前記浮きと錘とを連結する網および/または布とを有することを特徴とする請求項１乃至請求項５のいずれか１つの請求項に記載の捕獲具。
【発明の詳細な説明】
【技術分野】
【０００１】
本発明は、水中の獲物を入口から取り込んで捕獲し出口から解放する捕獲具に関し、主として蟹、エビ、タコなどに用い一般魚にも用いることができる捕獲具に関する。
【背景技術】
【０００２】
各種魚や蟹、エビ、タコなどの捕獲具に関しては、従来から種々の提案がなされており、例えば、特開平７−３１３０１６号公報には、捕獲用の籠を折り畳み自在にすることによって、折り畳み状態で搬送し、漁船等上に積載することができるので多量に搬送することができるとともに、荷崩れを確実に防止することができる捕獲用籠が提案されている。
しかし、特開平７−３１３０１６号公報に開示された捕獲用籠は、鋼体を用いているため強度は高い一方で、重いうえ、折り畳みの機構が複雑であるため搬送および拡張・縮小の作業に多大な手間と労力がかかるという問題点があった。
また、捕獲具に把持搬送装置に関しては、例えば、特開２０００−３５０５３５号公報に、漁業における揚網作業を自動化するための揚網自動化装置が提案されている。
しかし、特開２０００−３５０５３５号公報に提案されているのは、漁業用の網を引き揚げる際に、網をプーリーにからませないための装置であって、本発明が対象とするような籠を有する捕獲具に適用すると、籠を吊り下げる枝糸がプーリーに形成された鋸歯状の凹凸に引っ掛かり枝糸が切断されてしまうという問題点があった。
【特許文献１】特開平７−３１３０１６号公報
【特許文献２】特開２０００−３５０５３５号公報
【発明の開示】
【発明が解決しようとする課題】
【０００３】
本発明は、前述のような従来技術の問題点を解決し、蟹、エビ、タコや一般魚を捕獲する捕獲具であって、入った獲物が逃げ出すことができないうえ、獲物を自動的に解放し餌を供給することができる捕獲具およびその搬送機を有する捕獲具を提供することを課題とする。
【課題を解決するための手段】
【０００４】
本発明は前述の課題を解決するために鋭意検討の結果なされたものであり、その要旨とするところは特許請求の範囲に記載した通りの下記内容である。
（１）水中の獲物を入口から取り込んで捕獲し出口から解放する捕獲具であって、前記入口に入った獲物が逃げ出すことができないように逆行防止機構と、
前記出口に自動復帰機構を有する開閉板と、前記捕獲具を搬送する搬送装置とを設け、搬送中に開閉板を自動的に開放する機構を備えることにより獲物を自動的に解放できることを特徴とする捕獲具。
（２）前記逆行防止機構は、放射状に配置された入口部材と、該入口部材の根元に設けられた弾性部材と、該入口部材を固定するストッパーとを有することを特徴とする（１）に記載の捕獲具。
（３）前記捕獲具の吊り下げ具を、該捕獲具の上部の中心からずらした位置に設けることを特徴とする（１）または（２）に記載の捕獲具。
（４）前記捕獲具の上部に、餌自動供給機を設けることを特徴とする（１）乃至（３）のいずれか１つに記載の捕獲具。
（５）前記搬送装置は、捕獲具を搬送する幹糸を把持する円形把持板および羽根形把持板と、該籠を吊り下げる枝糸と前記幹糸とを分離して該枝糸を前記羽根形把持板の羽根に引っ掛ける案内アームとを備えた把持搬送機であることを特徴とする（１）乃至（４）のいずれか１つに記載の捕獲具。
（６）前記捕獲具が水中で拡張した状態になるように上部に配置された浮きと、該捕獲具が水底に沈むように下部に配置された錘と、前記浮きと錘とを連結する網および/または布とを有することを特徴とする（１）乃至（５）のいずれか１つに記載の捕獲具。
【発明の効果】
【０００５】
本発明によれば、蟹、エビ、タコや一般魚を捕獲する捕獲具であって、入った獲物が逃げ出すことができないうえ、獲物を自動的に解放し餌を供給することができる捕獲具およびその搬送機を有する捕獲具を提供することができ、以下のような具体的な産業上有用な著しい効果を奏する。
１）水中の獲物を入口から取り込んで捕獲し出口から解放する捕獲具であって、前記入口に入った獲物が逃げ出すことができないように逆行防止機構と、
前記出口に自動復帰機構を有する開閉板と、前記捕獲具を搬送する搬送装置とを設けることにより獲物を自動的に捕獲し解放できる。
（２）前記逆行ることにより獲物を自動的に解放できる。
２）前記逆行防止機構を、バネを用いたストッパー機構とすることによって、簡易な機構によって獲物が逃げ出すことを防止することができる。
３）捕獲具の吊り下げ具を、籠の上部の中心からずらすことによって、籠の傾く方向を常に一定に保つことができるので、船上における籠の搬送と獲物の解放作業を容易にすることができる。
４）捕獲具の上部に餌自動供給装置を設けることにより、船上における餌供給作業の自動化を実現することができる。
５）捕獲具を搬送する幹糸を把持する円形把持板および羽根形把持板と、該捕獲具を吊り下げる枝糸と幹糸とを分離し該枝糸を前記羽根形把持板の羽根に引っ掛ける案内アームとを備えた把持搬送機を設けることにより、捕獲用の籠が把持搬送機に絡まることなく、籠を搬送することができる。
また、羽根形把持板を設けることにより、羽根形把持板と羽根形把持板の中間に枝糸が入り、幹糸と枝糸の高さをほぼ同一レベルとすることによって、幹糸と枝糸が把持板から離れた時の落差をほぼ無くすことができる。
６）捕獲具が水中で拡張した状態になるように上部に配置された浮きと、該捕獲具が水底に沈むように下部に配置された錘と、前記浮きと錘とを連結する網および/または布とを有することによって、水中では拡張した状態で、水上では縮小した状態に容易に変形することができる。
【発明を実施するための最良の形態】
【０００６】
発明を実施するための最良の形態について図１乃至図１２を用いて詳細に説明する。
＜第１の実施形態＞
図１乃至図３は本発明における捕獲具の第１の実施形態を例示する図である。
図１乃至図３において、１は籠、４はストッパー、５´は分離搬送具、６は弾性部材、６´は入口部材、７は入口、８は浮き、９は錘、１０はバネ、１７は網または布、１８はスライド板開閉レバー、１９  は吊り紐、２０はストッパー、２１はスライド板（開閉板）、４３は滑車（吊り下げ具）を示す。
図１の上段は、本発明に用いる籠の平面図を示し、下段は籠の側面図を示す。
本発明は、水中の獲物を入口７から取り込んで捕獲し出口から解放する捕獲具であって、前記入口７に入った獲物が逃げ出すことができないように逆行防止機構と、水中の獲物を入口から取り込んで捕獲し出口から解放する捕獲具であって、前記入口に入った獲物が逃げ出すことができないように逆行防止機構と、前記出口に自動復帰機構を有する開閉板（例えば、スライド板２１）と、前記捕獲具を搬送する搬送装置とを設けることにより獲物を自動的に捕獲し解放できることを特徴とする。
すなわち、獲物が籠１の上部に設けられた入口７の上部に来ると、獲物の重量によって弾性部材６が下方に押し付けられて入り口部材６´が下方に下がり、獲物が入ると弾性部材６が弾発して入り口部材６´が元の位置に復帰するので獲物は何匹でも籠１に捕獲することができる。
本発明においては、自動復帰機構を有する開閉板の方式は問わないが、例えば、図１に示すように、籠１の下部に、獲物の出口としてスライド板２１が設けられており、スライド板開閉レバー１８を引張ることによってスライド板２１を開閉させることによって獲物を解放することができるうえ、ストッパー２０によってスライド板２０の脱落を防止するとともに、バネ１０によって一度開いたスライド板２１を自動的に閉じることができる。
また、スライド板２１の代わりに底板が回転することによって自動的に開閉する方式や、底板を折り曲げて開閉する方式でもよい。
【０００７】
本実施形態においては、獲物の入口７は図１の上段に示すように、籠１の上部に設けられており、この入口７には、入った獲物が逃げ出せないように逆行防止機構が設けられている。
本発明においては、この逆行防止機構は問わないが、例えば図１に示すように、放射状に配置された入口部材６´と、該入口部材６´の根元に設けられた樹脂などの弾性部材６と、該入口部材６´を固定するストッパー４とを有することにより、入口７から入った獲物が入口７から外に逃げ出すことができない機構にすることが好ましい。
また、図１の下段に示すように、水中においては、籠１の上部に配置された浮き８が働いて、籠１を拡張した状態にすることができ、また、水中では、籠１の下部に設けられた錘９が働いて、籠１を水底に保持することができる。
なお、本実施形態においては、複数のリング状の浮き８を上下方向に並べているので籠が水中で拡張し易くすることができる。
また、浮き８と錘９とは、網および/または布１７で連結されているので変形が容易であるうえ、獲物を外に逃がすことがない。なお、本発明においては、網や布の材質は問わないが、耐久性の観点から樹脂製または化学繊維製が好ましい。
なお、本発明においては、網および/または布１７の材質は問わないが、潮流の速い場所で使用する場合には、例えば鋼製の網など硬質材からなる網を使用し、さらに、網の格子点を籠１の伸縮方向に伸縮自在に接続することによって潮流による籠１の斜め変形を防止することができるうえ、硬質材と軟質材、または、硬質材と布を二重に設けて使用することもできる。
【０００８】
図２は、本発明の捕獲具を例えば船上などに水上から引き揚げて搬送する状況を説明する図である。
籠１は、幹糸３を把持して搬送する電動機駆動の把持搬送機２７によって、船上などの水上に引き揚げられ、さらに幹糸３にテンションを付与するための駆動しない把持搬送機２７´によって搬送される。
このとき、籠１は枝糸５に接続されているので、枝糸と幹糸３を分離しなければ枝糸５が把持搬送機２７、２７´に絡まって切断されてしまう。
そこで、本実施形態においては、枝糸５に玉状の分離搬送具５´を設けているので、幹糸３と枝糸５とが絡まりにくくすることができる。
籠１の上部には、籠を１吊り下げる吊り紐１９と、これを吊るための吊り下げ具として滑車４３が設けられており、その滑車４３は、枝糸５およびその枝糸５を幹糸から分離し易くする玉状の分離装置５´に接続されている。
籠が船上などの水上に置いた時には、浮き８が働かないので、上下に縮小した状態になるため、籠１を多段に積み重ねて積載できるので船上スペースを節約することができるうえ、船上作業の手間と時間を著しく低減することができる。
【０００９】
また、本実施形態においては、図３に示すように、吊り紐１９の長さに長短を設けて、籠１の吊り下げ具４３を、籠１の上部の中心からずらした位置に設けている。
例えば、滑車のような籠１の吊り下げ具４３を、籠１の上部の中心からずらした位置に設けることにより、籠１を一定の方向に傾けることができるので、作業員が籠１の向きを確認し所定の向きに回転させて籠案内ガイド２４に進入させなくても、常に正しい向きで籠案内ガイド２４に進入させることができるので、スライド板開閉レバーを獲物集荷用樋２３に設けられた当り棒２６に正しく当ててスライド板２１を開閉させることができ、獲物１６を自動的に獲物集荷用樋２３に解放し、その先に設けられた水槽２３´に溜めることができる。
さらに、本実施形態においては籠１の上部に、餌容器１５および餌溜めホッパー２２を有する餌自動供給機を設けることにより、作業員が手作業で籠１に餌を供給しなくても自動的に餌を供給することができる。
この餌自動供給装置は、例えば図５に示すように、籠１の吊り紐１９が作動棒４８に接触して作動棒４８が傾動することによって、餌出し口の上下のスライド戸４７、４７´が開いて、餌１４が籠１に供給され、引き紐１９が作動棒４８から外れるとバネ１０の力で作動棒４８が元の位置に復帰して、スライド戸４７、４７´が自動的に閉じる機構とすることが好ましい。
なお、本実施形態においては、幹糸３の籠１のスライド板２１を開閉する位置および餌を供給する位置にタイマー４９を設置することによって、スライド板２１の開閉と餌の供給に必要な時間を確保することができる。
【００１０】
＜第２の実施形態＞
図４は、本発明における捕獲具の第２の実施形態を示す図であり、（ａ）は斜視図、（ｂ）は水中で拡張した状態、（ｃ）は水上で縮小した状態を示す。
図４において、１は籠、５は枝糸、６は弾性部材、６´は入口部材、７は入口、８は浮き、９は錘、１７は網または布、１８はスライド式開閉レバー、１９は吊り紐、２１はスライド板、４３は滑車（吊り下げ具）を示す。
図４に示す第２の実施形態においては、浮き８および錘９を矩形にして容積を増大するとともに、入口７を籠１の側面に設けてあるので、うなぎ、あなご、エビなどの魚貝類が入り易くすることができる。
入口７が籠１の側面にあるため、入口部材６´および、弾性部材６も籠１の側面に設けられているが、出口であるスライド板２１は籠１の下面に設けられており、その構造は前述の第１の実施形態と同様である。
なお、本発明においては、網および/または布１７の材質は問わないが、潮流の速い場所で使用する場合には、例えば鋼製の網など硬質材からなる網を使用し、さらに、網の格子点を籠１の伸縮方向に伸縮自在に接続することによって潮流による籠１の斜め変形を防止することができる。
【００１１】
＜第３の実施形態＞
図６乃至図８は、本発明における捕獲具の第３の実施形態を示す図であり、図６は船上などの水上にある状態、図７は水中にある状態、図８は捕獲具の詳細図である。
図６および図７において、１は籠、３は幹糸、５は枝糸、５´は分離搬送具、６は弾性材、６´は入口部材、７は入口、８は浮き、９は錘、１０はバネ、１６は獲物、１７は網または布、１８はスライド板開閉レバー、１９は吊り紐、２１はスライド板、２３は獲物集荷用樋、２４は籠案内ガイド、２７は把持搬送機、４３は滑車（吊り下げ具）、４５は転倒装置、４９はタイマー、５０は入口部材ストッパーセット装置、５０´は取付アームを示す。
本実施形態は、本発明をタコ壷に適用する場合を示しており、図６に示すように入口７は籠１の上部に設けられており、船上に設けられた転倒装置４５によって、傾斜板で籠１を傾動させた後に入口７の部分を引っ掛けて転倒させる機構となっている。
籠１が転倒すると、スライド板開閉レバー１８が引張られて、スライド板２１が開いて、獲物１６が解放される構造になっており、解放が終るとスライド板２１はバネ１０の力で元の位置に自動的に復帰する。
本実施形態においては、入口部材ストッパーセット装置５０によって、入口部材６´を開いた状態にセットすることができる構造になっており、その詳細は図８を用いて詳述する。
なお、本実施形態においては、幹糸３の籠１のスライド板２１を開閉する位置および入口部材ストッパーをセットする位置にタイマー４９を設置することによって、スライド板２１の開閉と入口部材ストッパーのセットに必要な時間を確保することができる。
【００１２】
図７は、本発明をタコ壷に適用した場合の籠を水中に沈めた状態を示す図である。
図７に示すように、水中では浮き８が働いて籠１が拡張した状態となるので、タコが入口７から入り易くすることができる。
図８は、本発明の第３の実施形態における捕獲具の詳細図であり、上段は上から見た図、中段は横から見た断面図、下段は横断面図であり、右側は入口部材ストッパーセット装置を示す。
図８において、１は籠、４はストッパー、４´はストッパーガイド、６は弾性部材、６´は入口部材、９は錘、１０はバネ、１７は網または布、１８はスライド板開閉レバー、２０はストッパー、２１はスライド板、５０は入口部材ストッパーセット装置を示す。
図８に示すように、本実施形態に用いる籠はタコ壷状になっており、その入口に設けられた放射状の入口部材６´は、入口部材ストッパーセット装置５０を押し込むことによって、ストッパー４により広げた状態にセットすることができ、壷胴体と着脱できる構造になっている。
図８の上部からタコなどの獲物が入ってくると、獲物の重みがストッパー４に働くので、入口部材６´がストッパー４から外れて、弾性部材６の力で入口部材６´が閉じるので、獲物が外に逃げることができない。
なお、出口を構成するスライド板２１、スライド板開閉レバー１８、バネ１０、ストッパー２０の構造は第１および第２の実施形態と同様である。
また、スライド板２１の代わりに底板が回転することによって自動的に開閉する方式や、底板を折り曲げて開閉する方式でもよい。
なお、本発明においては、網および/または布１７の材質は問わないが、潮流の速い場所で使用する場合には、例えば鋼製の網など硬質材からなる網を使用し、さらに、網の格子点を籠１の伸縮方向に伸縮自在に接続することによって潮流による籠１の斜め変形を防止することができる。
【００１３】
＜第４の実施形態＞
図９乃至図１２は、本発明における捕獲具の第４の実施形態を示す図である。
図９乃至図１２において、１は籠、２は羽根形把持板、２´は円形把持板、３は幹糸、５は枝糸、１２は電動機、１３は案内アーム、２５は幹糸テンションローラー、２７は把持搬送機（駆動用）、２７´は把持搬送機（テンション用）、４１は把持板取付軸、４２は開きローラー、４２´は取付アーム、４３は吊り下げ具、４４は弾性材を示す。
本実施形態は、捕獲具を船上などの水上で搬送する把持搬送機を設けた例を示し、図９は把持搬送機の側面図、図１０は断面図を示す。
図９および図１０に示すように、把持搬送機２７は、籠１を搬送する幹糸３を把持する円形把持板２´および羽根形把持板２と、籠１を吊り下げる枝糸５と前記幹糸３とを分離して該枝糸５を前記羽根形把持板２の羽根に引っ掛ける案内アーム１３とを備えている。
【００１４】
図９の右側から籠１が引き揚げられると、幹糸３と枝糸５とが絡み合わないように案内アーム１３が幹糸３と枝糸５との間に挟まって２つの糸を分離し、枝糸５を羽根形把持板の羽根の部分に引っ掛かることによって、幹糸３と枝糸５とが絡み合うことを防止することができる。
なお、本実施形態における羽根形把持板は、板状の羽根を複数枚（本実施形態においては６枚）を把持板取付軸４１に軸支した構造となっているので、羽根が把持板取付軸４１の軸方向に凹凸形状になっておらず扁平な形状なので、枝糸が引っ掛かり易く、かつ、外れ易くすることができ、幹糸３と枝糸５の高さは、常時ほぼ同一のレベルで搬送される。
なお、幹糸３にテンションをかけることにより弛みを防止するために、図１１に示すように、把持搬送機２７の前段には幹糸テンションローラー２５を設け、把持搬送機２７の後段には、駆動装置を有しないテンション用の把持搬送機２７´を設けることが好ましい。
また、円形把持板２´の端面に把持板広げローラーを設けて円形把持板２´を外側に押し広げることによって、把持板から幹糸３が外れ易くすることができる。
また、把持板と幹糸３が接触する溝部には樹脂などの弾性材４４を塗布することにより幹糸の切断を防止することができる。
【００１５】
図１１は、本実施形態に用いる幹糸テンションローラーを例示する詳細図である。
図１１に示すように、幹糸テンションローラー２５は、幹糸３をローラーの間に挟み込んで回転するローラーであって、必要に応じて、電動機を設けて駆動することにより、幹糸３の搬送力を増加させることができる。
また、幹糸テンションローラー２５は、幹糸外れ止めを兼ねることができる。
図１２は、本発明の捕獲具を船上で搬送する手順を示す図である。
従来は、ウィンチを用いて多人数で幹糸３を巻き上げ、枝糸５と籠１が揚がってくると、幹糸３から枝糸５と籠１を外して獲物を船上に取り入れた後、籠１に餌を入れて、再度、幹糸３に取り付けて水中に降ろす作業を行っていたため、従来の鋼製の重たい籠を持ち上げる作業は重労働であるうえ、捕獲が終った後に籠を積載するために多大なスペースが必用だった。
本発明の捕獲具を用いることにより、図１２の右から、水中から引き揚げられた籠１は把持搬送装置２７、２７´にて搬送され、獲物を解放した後、餌を供給されて再度水中に降ろされる工程を繰り返すことによって、籠の引き揚げ、獲物の解放、餌の供給、籠の下降の一連の作業を自動化することができ、それぞれの獲物に応じた籠１の種類を混ぜ合わせて使用することによって多種類の獲物を同時に捕獲することができるうえ、籠１を縮小した状態で積載できるので船上のスペースを著しく節約することができる。
【図面の簡単な説明】
【００１６】
【図１】本発明における捕獲具の第１の実施形態を例示する図である。
【図２】本発明における捕獲具の第１の実施形態を例示する図である。
【図３】本発明における捕獲具の第１の実施形態を例示する図である。
【図４】本発明における捕獲具の第２の実施形態を例示する図である。
【図５】本発明に用いる餌自動供給装置の機構を説明する図である。
【図６】本発明における捕獲具の第３の実施形態を例示する図である。
【図７】本発明における捕獲具の第３の実施形態を例示する図である。
【図８】本発明における捕獲具の第３の実施形態を例示する図である。
【図９】本発明における捕獲具の第４の実施形態を示す図である。
【図１０】本発明における捕獲具の第４の実施形態を示す図である。
【図１１】本発明の第４の実施形態に用いる幹糸テンションローラーを例示する詳細図である。
【図１２】本発明の捕獲具を船上で搬送する手順を示す図である。
【符号の説明】
【００１７】
１  籠
２  羽根形把持板
２´  円形把持板
３  幹糸
４  ストッパー
４´ストッパーガイド
５  枝糸
５´  分離搬送具
６  弾性部材
６´入口部材
７  入口
８、８´  浮き
９  錘
１０  バネ
１２  電動機
１３  案内アーム
１４  餌
１５  餌容器
１６  獲物
１７  網または布
１８  スライド板開閉レバー
１９  吊り紐
２０  ストッパー
２１  スライド板（開閉板）
２２  餌溜めホッパー
２３  獲物集荷用樋
２３´水槽
２４  籠案内ガイド
２５  幹糸テンションローラー
２６  当り棒
２７  把持搬送機（駆動用）
２７´把持搬送機（テンション用）
４１  把持板取付軸
４２  把持板広げローラー
４２´取付アーム
４３  滑車（吊り下げ具）
４４  弾性材
４５  転倒装置
４７、４７´スライド戸
４８  作動棒
４９  タイマー
５０  入口部材ストッパーセット装置
５０´取付アーム
【要約】
【課題】蟹、エビ、タコや一般魚を捕獲する捕獲具であって、入った獲物が逃げ出すことができないうえ、獲物を自動的に解放し餌を供給することができる捕獲具およびその搬送機を有する捕獲具を提供する。
【解決手段】水中の獲物を入口から取り込んで捕獲し出口から解放する捕獲具であって、前記入口に入った獲物が逃げ出すことができないように逆行防止機構と、前記出口に自動復帰機構を有する開閉板と、前記捕獲具を搬送する搬送装置とを設けることにより獲物を自動的に捕獲し解放できることを特徴とする捕獲具。
【選択図】図１
【図１】
0003621410.tif 000002
【図２】
0003621410.tif 000003
【図３】
0003621410.tif 000004
【図４】
0003621410.tif 000005
【図５】
0003621410.tif 000006
【図６】
0003621410.tif 000007
【図７】
0003621410.tif 000008
【図８】
0003621410.tif 000009
【図９】
0003621410.tif 000010
【図１０】
0003621410.tif 000011
【図１１】
0003621410.tif 000012
【図１２】
0003621410.tif 000013